(57)【要約】【課題】  使用者の好みに応じて聴取するオーディオ信号の周波数特性を変化させることができるヘッドホン装置を提供する。【解決手段】  内部が空洞の形状を成し、前方に前後に貫通する孔を備える凸部を備え、後方部分に後面部を備えるハウジングと、内部が空洞の形状を成し、前方部分に前面部を備え、後方部分に前後に貫通する孔を備え、後面部と前面部が接した状態でハウジングに保持されハウジングの中心を軸として自在に回転可能に成される後部と、内部にリード線を備え、一端に入力端子を備え、当該入力端子を備える一端の他端が後部の孔を介して後部の内部に挿入されるケーブルと、後部の前面部に固着しオーディオ信号を放音するドライバーユニットとを備え、後部の前面部及びハウジングの後面部は、それぞれ前後に貫通する孔を備え、前面部の孔と後面部の孔は、ハウジングの中央からそれぞれ略同一の距離の位置に配設される。【選択図】      図２
2012074806.tif 000002
【特許請求の範囲】
【請求項１】
ケーブルを介して入力端子に入力されたオーディオ信号を出力するヘッドホン装置において、
内部が空洞の形状を成し、前方に前後に貫通する孔を備える凸部を備え、後方部分に後面部を備えるハウジングと、
内部が空洞の形状を成し、前方部分に前面部を備え、後方部分に前後に貫通する孔を備え、前記ハウジングの前記後面部と前記前面部が接した状態で前記ハウジングに保持され前記ハウジングの中心を軸として自在に回転可能に成される後部と、
内部にリード線を備え、一端に入力端子を備え、当該入力端子を備える一端の他端が前記後部の孔を介して前記後部の内部に挿入されるケーブルと、
前記後部の前記前面部に固着し前記ケーブルの前記リード線に電気的に接続し前記入力端子が入力したオーディオ信号を放音する振動板を有するドライバーユニットとを備え、
前記後部の前記前面部及び前記ハウジングの前記後面部は、それぞれ前後に貫通する孔を備え、
前記前面部の前記孔と前記後面部の前記孔は、前記ハウジングの中央からそれぞれ略同一の距離の位置に配設されていることを特徴とするヘッドホン装置。
【請求項２】
請求項１記載のヘッドホン装置において、
前記後部の前記前面部に備える前記孔の内径は、前記ハウジングの前記後面部に備える前記孔の内径と略同一であることを特徴とするヘッドホン装置。
【請求項３】
請求項１または２記載のヘッドホン装置において、
前記前面部の前記孔及び／または前記後面部の前記孔は、多角形の形状であることを特徴とするヘッドホン装置。
【発明の詳細な説明】
【技術分野】
【０００１】
本発明は、ケーブルを介して再生装置と接続し、再生装置から出力されたオーディオ信号を出力するヘッドホン装置に関する。
【背景技術】
【０００２】
従来のヘッドホン装置として、ケーブルを介して再生装置と電気的に接続し、再生装置から出力されたオーディオ信号を出力するヘッドホン装置が知られている（例えば、特許文献１参照）。
【０００３】
図５は、従来のヘッドホン装置を示す概略構成図である。
ヘッドホン装置１００は、それぞれ２つのハウジング２００、前部３００及びイヤーパッド４を備え、それぞれのハウジング２００は、ケーブル６によって入力端子８に接続される。ケーブル６は、内部にリード線を備える。入力端子８は、再生装置１０の出力端子１１に接続される。再生装置１０は、オーディオ信号を再生し、再生したオーディオ信号を出力端子１１から出力する。
【０００４】
ヘッドホン装置１００は、図５で説明した構成の他、図示しないドライバーユニット及びブッシュを備える。ドライバーユニットは、前部３００の裏面に接着剤等により固着される。ドライバーユニットは、振動板（図示しない）を備え、ケーブルを介して入力端子８と電気的に接続される。
【０００５】
イヤーパッド４は、ゴム部材等の弾性体により円筒型に形成され、前後に貫通する孔（図示しない）を備える。イヤーパッド４は、接着剤等により前部３００の前方に保持された状態となる。
【０００６】
ヘッドホン装置１００は、再生装置１０の出力端子１１から出力されるオーディオ信号を入力端子８によって入力し、入力端子８から入力したオーディオ信号をケーブル６のリード線を介してドライバーユニットから放音する。ヘッドホン装置１００の使用者は、イヤーパッド４を耳にはめ込み、例えば、洋服のポケット等に再生装置１０を入れた状態で、再生装置１０からオーディオ信号を再生させる。このことにより、再生装置１０が再生したオーディオ信号が入力端子８及びケーブル６を介してドライバーユニット７によって放音され、この放音されたオーディオ信号が前部３００の孔を介してイヤーパッド４の内部に伝達する。これにより、イヤーパッド４を装着した使用者の耳にオーディオ信号が伝達し、使用者は、ヘッドホン装置１００から出力されるオーディオ信号を聴取することができる。
【先行技術文献】
【特許文献】
【０００７】
【特許文献１】特開平８−０９８２９０号公報
【発明の概要】
【発明が解決しようとする課題】
【０００８】
従来のヘッドホン装置は、ドライバーユニットから放音されたオーディオ信号がハウジング２００の内部で共振し、また、ドライバーユニットから放音されたオーディオ信号が前部の孔及びイヤーパッド４の内部に伝達して使用者の耳に伝達するため、ドライバーユニットの後面の空間を密閉した構成にしたり、また、ドライバーユニットの後面の空間を密閉せずに、例えば、ドライバーユニットの後面の空間から前方に開口する孔をドライバーユニットの周囲に備える構成にすることによって、使用者の耳に伝達するオーディオ信号の周波数特性が大きく変化する。例えば、ドライバーユニットの後面の空間を密閉した構成にすると、ドライバーユニットの後面から出力された低域の周波数特性のオーディオ信号が密閉された空間で減衰され、ドライバーユニットの前面から放音された高域の周波数帯域のオーディオ信号のみが使用者に耳に伝達される。また、ドライバーユニットの後面の空間から前方に開口する孔をドライバーユニットの周囲に備える構成にすると、ドライバーユニットの後面から出力された低域の周波数特性のオーディオ信号が前方に開口する孔を伝達して前方に伝達し、ドライバーユニットの前面から放音された高域の周波数特性のオーディオ信号に加えてドライバーユニットの後面から放音された低域の周波数特性のオーディオ信号が使用者の耳に伝達される。
【０００９】
このように、ドライバーユニットの後面の空間を密閉した構成にするのか否かによって使用者の耳に伝達するオーディオ信号の周波数帯域が大きく変化するため、ヘッドホン装置をデザインする段階においては、より最適な周波数特性で使用者がオーディオ信号を聴取できるように、ドライバーユニットが放音するオーディオ信号の周波数帯域に基づいて、ドライバーユニットの後面の空間を密閉させた構成にするのか否かを検討し、最適な周波数特性のオーディオ信号が使用者の耳に伝達できるように入念に設定することがなされている。しかしながら、このように使用者の耳に伝達するオーディオ信号の周波数特性が最適になるように入念に設定しても、高域の周波数帯域が強調されたオーディオ信号を好む使用者がいたり、また、低域の周波数帯域が強調されたオーディオ信号を好む使用者もいるため、あらゆる使用者の好みに合致したヘッドホン装置を提供することが困難となっている。
【００１０】
本発明は、ケーブルを介して再生装置と電気的に接続し、再生装置から出力されたオーディオ信号を出力するヘッドホン装置において、使用者の好みに応じて聴取するオーディオ信号の周波数特性を変化させることができるヘッドホン装置を提供することを目的とする。
【課題を解決するための手段】
【００１１】
本願の請求項１記載の発明は、ケーブルを介して入力端子に入力されたオーディオ信号を出力するヘッドホン装置において、内部が空洞の形状を成し、前方に前後に貫通する孔を備える凸部を備え、後方部分に後面部を備えるハウジングと、内部が空洞の形状を成し、前方部分に前面部を備え、後方部分に前後に貫通する孔を備え、前記ハウジングの前記後面部と前記前面部が接した状態で前記ハウジングに保持され前記ハウジングの中心を軸として自在に回転可能に成される後部と、内部にリード線を備え、一端に入力端子を備え、当該入力端子を備える一端の他端が前記後部の孔を介して前記後部の内部に挿入されるケーブルと、前記後部の前記前面部に固着し前記ケーブルの前記リード線に電気的に接続し前記入力端子が入力したオーディオ信号を放音する振動板を有するドライバーユニットとを備え、前記後部の前記前面部及び前記ハウジングの前記後面部は、それぞれ前後に貫通する孔を備え、前記前面部の前記孔と前記後面部の前記孔は、前記ハウジングの中央からそれぞれ略同一の距離の位置に配設されていることを特徴とする。
【００１２】
本願の請求項２記載の発明は、請求項１記載のヘッドホン装置において、前記後部の前記前面部に備える前記孔の内径は、前記ハウジングの前記後面部に備える前記孔の内径と略同一であることを特徴とする。
【００１３】
本願の請求項３記載の発明は、請求項１または２記載のヘッドホン装置において、前記前面部の前記孔及び／または前記後面部の前記孔は、多角形の形状であることを特徴とする。
【発明の効果】
【００１４】
本発明によれば、ケーブルを介して再生装置と電気的に接続し、再生装置から出力されたオーディオ信号を出力するヘッドホン装置において、使用者の好みに応じて聴取するオーディオ信号の周波数特性を変化させることができるヘッドホン装置を提供することができる。
【図面の簡単な説明】
【００１５】
【図１】本発明の一実施例のヘッドホン装置を示す概略構成図。
【図２】本実施例のヘッドホン装置１を示す断面図。
【図３】本実施例のヘッドホン装置１におけるハウジング２及び後部３を示す図で、図３（ａ）は図２におけるＡ−Ａ方向から見たハウジング２の正面図、図３（ｂ）は図２におけるＡ−Ａ方向から見た後部３の正面図。
【図４】本実施例のヘッドホン装置１における図２におけるＡ−Ａ方向から見たハウジング２と後部３を示す図で、図４（ａ）はハウジング２の孔２０７と後部３の孔３０４が略同一の位置となっている状態を示す図、図４（ｂ）は図４（ａ）の状態から後部３を時計回り方向に回転させた状態を示す図。
【図５】従来のヘッドホン装置を示す概略構成図。
【発明を実施するための形態】
【００１６】
本発明の実施の形態を図面を参照して説明する。なお、背景技術又は図５で示した構成要素と同一の部分については同符号を用いる。
【００１７】
図１は、本発明の一実施例のヘッドホン装置を示す概略構成図である。
ヘッドホン装置１は、ハウジング２、後部３、イヤーパッド４、ブッシュ５、ケーブル６、ドライバーユニット７及び入力端子８を備える。入力端子８については、背景技術で説明した構成と同様の構成であるため、説明を省略する。
【００１８】
図２は、本実施例のヘッドホン装置１を示す断面図である。
図２に示すヘッドホン装置１においては、左方向をヘッドホン装置１の前方とし、上方向をヘッドホン装置１の上方とする。
【００１９】
図３は、本実施例のヘッドホン装置１におけるハウジング２及び後部３を示す図で、図３（ａ）は図２におけるＡ−Ａ方向から見たハウジング２の正面図、図３（ｂ）は図２におけるＡ−Ａ方向から見た後部３の正面図である。
【００２０】
図１及び図２に示すように、ハウジング２は、内部が空洞の球体を形成し、後方部分が開口した形状を成し、当該開口した外周部分に、後方になるのに伴って中央方向に湾曲した円環状を形成する円環部２０１を備える。ハウジング２は、前方に円筒型を形成する凸部２０２を備える。凸部２０２は、前後に貫通する孔２０４を備え、外周の中央部分に溝部２０３を備える。ハウジング２は、球体の内壁の後方部分に円形で板状に形成された後面部２０５を備える。後面部２０５は、円環部２０１の前方に配設され、外周部分がハウジング２の内壁に接着剤等によって固着されている。後面部２０５は、中央部分に前後方向に貫通する孔２０６を備え、孔２０６の上方及び下方の位置にそれぞれ前後方向に貫通する孔２０７を備える。
【００２１】
後部３は、ゴム部材等の弾性体から成り、内部が空洞で前方部分が切除された形を成す半球体を形成し、当該切除された前方部分に、後方になるのに伴って中央方向に湾曲した外周部３０２を備える。外周部３０２の前端部分には、円形で板状に形成された前面部３０１が固着またはハウジング２と一体成型されている。前面部３０１は、中央部分に前後方向に貫通する孔３０３を備え、孔３０３の上方及び下方の位置にそれぞれ前後方向に貫通する孔３０４を備える。
【００２２】
図３（ａ）及び図３（ｂ）に示すように、ハウジング２の後面部２０５に備える孔２０７と後部３の前面部３０１に備える孔３０４は、それぞれ略同一の内径を形成し、図３（ａ）に示すように、ハウジング２の中央から孔２０７までの距離Ｂは、図３（ｂ）に示すように、ハウジング２の中央から孔３０４までの距離Ｃと略同一の距離の位置に配設されているものとする。
【００２３】
ブッシュ５は、図１及び図２に示すように、前後方向に円筒型を形成すると共に、後方部分が下方に曲がったＬ字型を形成し、後部３の後方部分に固着または後部３と一体成型されている。ブッシュ５は、後部３の内壁から後方の下端に亘ってＬ字型に貫通する孔５０３を備える。
【００２４】
後部３の外周部３０２の表面は、ハウジング２の円環部２０１の内壁と略同一の湾曲を形成する。後部３は、外周部３０２の表面を内側に変形させながらハウジング２の円環部２０１の内壁に押し込むことによって外周部３０２がハウジング２の円環部２０１の内壁に挿入され、後面部２０５の後面と前面部３０１の前面が接した状態で後方に移動しないようハウジング２に保持される。後部３は、外周部３０２がハウジング２の円環部２０１の内壁に挿入された状態のとき、外周部３０２の表面がハウジング２の円環部２０１の内壁と略同一の湾曲を形成していることから、ハウジング２の中心の前後方向を軸として時計回り方向及び反時計回り方向に自在に回転可能となる。
【００２５】
イヤーパッド４は、ゴム部材等の弾性体により円筒型に形成され、前後に貫通する孔４０１を備える。イヤーパッド４は、後方の内側部分に鍔部４０２を備える。イヤーパッド４は、鍔部４０２が前部３の溝部３０３にはめ込まれることによって前部３の前方に保持された状態となる。
【００２６】
ケーブル６は、入力端子８を備える一端の他端がブッシュ５の孔５０３を介して後部３の内部に挿入され、この後部３の内部で結び目６０１を形成する。ケーブル６は、この結び目６０１によって弾性部５の内部から下方に脱落しないように成されている。
【００２７】
ドライバーユニット７は、図示しない振動板を備え、ケーブル６のリード線６０２に電気的に接続される。ドライバーユニット７は、ハウジング２の前面部３０１の孔２０６に挿入された状態で接着剤等により固着される。なお、図２に示すように、後面部２０５の孔２０６の内径は、ドライバーユニット７の外径より大きいことから、ドライバーユニット７の前面が孔２０６から前方に露呈する。
【００２８】
図１及び図２に示すように、ヘッドホン装置１は、背景技術で説明した再生装置の出力端子から出力されるオーディオ信号を入力端子８によって入力し、入力端子８から入力したオーディオ信号をケーブル６を介してドライバーユニット７から放音する。ヘッドホン装置１の使用者は、イヤーパッド４を耳にはめ込み、例えば、洋服のポケット等に再生装置を入れた状態で、再生装置からオーディオ信号を再生させる。このことにより、再生装置が再生したオーディオ信号が入力端子８及びケーブル６を介してドライバーユニット７によって放音され、この放音されたオーディオ信号が後部３の孔３０５及びハウジング２の孔２０４を介してイヤーパッド４の孔４０１の内部に伝達する。これにより、イヤーパッド４を装着した使用者の耳にオーディオ信号が伝達し、使用者は、ヘッドホン装置１から出力されるオーディオ信号を聴取することができる。
【００２９】
図４は、本実施例のヘッドホン装置１における図２におけるＡ−Ａ方向から見たハウジング２と後部３を示す図で、図４（ａ）はハウジング２の孔２０７と後部３の孔３０４が略同一の位置となっている状態を示す図、図４（ｂ）は図４（ａ）の状態から後部３を時計回り方向に回転させた状態を示す図である。
【００３０】
図４（ａ）に示すように、ハウジング２の孔２０７と後部３の孔３０４が略同一の位置となっている状態の場合、ドライバーユニット７の後面の空間が孔２０７及び孔３０４を介して前方に開口した状態となる。また、図４（ｂ）に示すように、図４（ａ）の状態から後部３を時計回り方向に回転させると、ハウジング２の孔２０７と後部３の孔３０４の位置が異なるため、前方への開口が塞がれ、ドライバーユニット７の後面の空間が密閉した状態となる。
【００３１】
このため、ドライバーユニット７から放音されたオーディオ信号が孔２０７を介して使用者の耳に伝達する場合、図４（ａ）に示すように、ハウジング２の孔２０７と後部３の孔３０４が略同一の位置となっている状態では、ドライバーユニット７の後面の空間が孔２０７及び孔３０４によって前方に開口していることから、ドライバーユニット７の前面から放音された高域の周波数帯域のオーディオ信号と共にドライバーユニット７の後面から放音された低域の周波数特性のオーディオ信号が孔２０７及び孔３０４を介して前方に伝達され、ドライバーユニット７の前面から放音された高域の周波数特性のオーディオ信号に加えてドライバーユニット７の後面から放音された低域の周波数特性のオーディオ信号が使用者の耳に伝達される。一方、図４（ｂ）に示すように、ハウジング２の孔２０７と後部３の孔３０４の位置が異なっている状態では、ドライバーユニット７の後面の空間が密閉した状態となっていることから、ドライバーユニット７の後面から放音された低域の周波数特性のオーディオ信号が密閉された空間で減衰され、ドライバーユニット７の前面から放音された高域の周波数帯域のオーディオ信号のみが使用者に耳に伝達される。
【００３２】
以上のように、本実施例のヘッドホン装置１は、ハウジング２に対して後部３を前後方向の軸を中心として回転させ、ハウジング２の孔２０７と後部３の孔３０４の位置が略同一の位置となるようにするか、また、ハウジング２の孔２０７と後部３の孔３０４の位置が異なる位置となるようにするかによって、ドライバーユニット７から放音されたオーディオ信号が孔２０４を介して使用者の耳に伝達する場合のオーディオ信号の周波数特性を変化させることができる。
【００３３】
このため、例えば、低域の周波数帯域が強調されたオーディオ信号を好む使用者がヘッドホン装置１を使用する場合は、ハウジング２の孔２０７と後部３の孔３０４の位置が略同一の位置となるように後部３を回転させておくことにより、低域の周波数帯域が強調されたオーディオ信号を聴取することができる。また、高域の周波数帯域が強調されたオーディオ信号を好む使用者がヘッドホン装置１を使用する場合は、ハウジング２の孔２０７と後部３の孔３０４の位置が異なる位置となるように後部３を回転させておくことにより、高域の周波数帯域が強調されたオーディオ信号を聴取することができる。
【００３４】
本実施例のヘッドホン装置１は、ハウジング２及び後部３をそれぞれ球体とし、ハウジング２の円環部２０１に後部３の外周部３０２が挿入されることによって、後部３がハウジング２の中心の前後方向を軸として時計回り方向及び反時計回り方向に自在に回転可能となる構成としたが、後部３がハウジング２の中心の前後方向を軸として自在に回転できるのであれば、ハウジング２と後部３の形状がそれぞれいかなる形状であっても良い。例えば、ハウジング２と後部３をそれぞれ内部が空洞の円筒形の形状とし、ハウジング２の後方部分に備える鍔部と後部３の前方に備える溝部が嵌合し、後部３がハウジング２の中心の前後方向を軸として自在に回転できる構成としても良い。
【００３５】
本実施例のヘッドホン装置１は、ハウジング２の孔２０７と後部３の孔３０４の内径を略同一とする構成としたが、ドライバーユニット７の後面の空間が密閉された状態と密閉されずに前方に開口した状態とに変化させることができるのであれば、ハウジング２の孔２０７と後部３の孔３０４の内径を略同一としなくても良く、また、孔２０７及び孔３０４がそれぞれ円形以外の多角形の孔を形成していても良い。これにより、ドライバーユニット７から放音されたオーディオ信号が孔２０４を介して使用者の耳に伝達する場合のオーディオ信号の周波数特性を後部３の回転により一層変化させることができる。
【００３６】
本実施例のヘッドホン装置１は、孔２０７を後面部２０５の中央から上方と下方の２つの位置に備える構成とし、また、孔３０４を前面部３０１の中央から上方と下方の２つの位置に備える構成としたが、ドライバーユニット７の後面の空間が密閉された状態と密閉されずに前方に開口した状態とに変化させることができるのであれば、孔２０７と孔３０４をそれぞれ１つのみ備える構成としても良いし、また、孔２０７と孔３０４をそれぞれ３つ以上備える構成としても良い。
【００３７】
本実施例のヘッドホン装置１は、ハウジング２の孔２０７と後部３の孔３０４の位置を略同一の位置とすることによって、ドライバーユニット７の後面の空間が孔２０７及び孔３０４を介して前方に開口した構成としたが、ドライバーユニット７の後面の空間が密閉された状態と密閉されずに前方に開口した状態とに変化させることができるのであれば、ドライバーユニット７の後面の空間が前方以外の側面または後方に開口する構成としても良いし、複数の方向に開口する構成としても良い。
【産業上の利用可能性】
【００３８】
本発明は、ケーブルを介して再生装置と接続し、再生装置から出力されたオーディオ信号を出力するヘッドホン装置に有用に用いることができる。
【符号の説明】
【００３９】
１  ヘッドホン装置、２  ハウジング、２０１  円環部、２０２  凸部、
２０３  溝部、２０４  孔、２０５  後面部、２０６  孔、２０７  孔、
３  後部、３０１  前面部、３０２  外周部、３０３  孔、３０４  孔、
４  イヤーパッド、４０１  孔、４０２  鍔部、
５  ブッシュ、５０３  孔、６  ケーブル、６０１  結び目、６０２  リード線、
７  ドライバーユニット、８  入力端子、１０  再生装置、１１  出力端子、
１００  ヘッドホン装置、２００  ハウジング、３００  前部
【図１】
2012074806.tif 000003
【図２】
2012074806.tif 000004
【図３】
2012074806.tif 000005
【図４】
2012074806.tif 000006
【図５】
2012074806.tif 000007